【事件の表示】
　特願２０１５−１５０９４１「内視鏡光源装置、内視鏡システム、及び内視鏡光源装置の作動方法」拒絶査定不服審判事件〔平成２８年　８月１２日出願公開、特開２０１６−１４４６２４、請求項の数（１５）〕について、次のとおり審決する。
【結　論】
　原査定を取り消す。
　本願の発明は、特許すべきものとする。
【理　由】
第１　手続の経緯
　本願は、平成２７年７月３０日（国内優先権主張　平成２７年１月２９日）の出願であって、平成３０年２月２日付けで拒絶理由が通知され、同年４月６日付けで意見書及び手続補正書が提出され、同年８月６日付けで拒絶理由が通知され、同年１０月９日付けで意見書が提出され、平成３１年２月７日付けで拒絶査定されたところ、令和元年５月１７日に拒絶査定不服審判の請求がなされ、同時に手続補正がなされたものである。
第２　原査定の概要
　原査定（平成３１年２月７日付け拒絶査定）の概要は、次のとおりである。
理由３．（進歩性）　この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　記　　　　（引用文献等については引用文献等一覧参照）
●理由３（進歩性）について
・請求項　１〜１５
・引用文献等　１〜７
＜引用文献等一覧＞
１．国際公開第２０１５／００５２７７号
２．特開２０１１−１０９９８号公報
３．特開２００１−２０１６９７号公報
４．特開２０１３−１１１１７７号公報
５．特開２０１１−３６３６１号公報
６．特開２００８−１８１９３３号公報
７．国際公開第２０１２／１６１０２８号
第３　本願発明
　本願の請求項１−１５に係る発明（以下、それぞれ「本願発明１」−「本願発明１５」という。）は、令和元年５月１７日付けの手続補正で補正された特許請求の範囲の請求項１−１５に記載された事項により特定される発明であり、以下のとおりのものである。
「　　【請求項１】
　互いに異なる色の光を独立して発光する複数の光源を有し、前記複数の光源が発光する光を重ね合わせた第１多色スペクトルを有する第１多色スペクトル光を発する光源部と、
　前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように前記複数の光源の光量をそれぞれ制御する光源制御部と、
　前記複数の光源が発する光の光量をそれぞれ検出する光量検出部と、
　を備え、
　前記光源制御部は、前記光量検出部による検出結果を用いて、前記複数の光源のうち、前記第１多色スペクトル光を形成する光量の指定値に対して、光量の不足が最も大きい最劣化光源の光量に合わせて、残りの光源の光量を設定する内視鏡光源装置。
　　【請求項２】
　前記白色光は、キセノンランプが発する光である請求項１に記載の内視鏡光源装置。
　　【請求項３】
　前記第１波長帯域は、紫色波長帯域及び青色波長帯域を合わせた波長帯域であり、前記第２波長帯域は、緑色波長帯域である請求項１または２に記載の内視鏡光源装置。
　　【請求項４】
　前記複数の光源は、紫色光を発する紫色光源と、青色光を発する青色光源とを含み、
　前記第１多色スペクトル光の前記第１波長帯域は、前記紫色光及び前記青色光を含む波長帯域である請求項１〜３のいずれか１項に記載の内視鏡光源装置。
　　【請求項５】
　前記光源制御部は、前記第１波長帯域及び前記第２波長帯域に加えて、さらに、前記第１多色スペクトル光の前記第１波長帯域及び前記第２波長帯域とは異なる第３波長帯域の光量積分値と、前記連続スペクトル光の前記第３波長帯域の光量積分値とを一致させる請求項１〜４のいずれか１項に記載の内視鏡光源装置。
　　【請求項６】
　前記第３波長帯域は、赤色波長帯域である請求項５に記載の内視鏡光源装置。
　　【請求項７】
　前記光源部は、前記複数の光源によって、前記第１多色スペクトル光及び前記連続スペクトル光とは分光スペクトルが異なる第２多色スペクトルを有する第２多色スペクトル光
を発し、
　前記光源制御部は、前記第２多色スペクトル光の前記第１波長帯域の光量積分値を、前記連続スペクトル光の前記第１波長帯域の光量積分値よりも大きくし、かつ、前記第２多色スペクトル光の前記第２波長帯域の光量積分値を、前記連続スペクトル光の前記第２波長帯域の光量積分値と一致させる請求項１〜６のいずれか１項に記載の内視鏡光源装置。
　　【請求項８】
　前記光量検出部は、前記複数の光源が発光している間、前記複数の光源が発光する光の光量の検出を繰り返し行う請求項１〜７のいずれか１項に記載の内視鏡光源装置。
　　【請求項９】
　前記第１多色スペクトル光の第１波長帯域の光量積分値が前記連続スペクトル光の前記第１波長帯域の光量積分値に一致し、かつ、前記第１多色スペクトル光の前記第２波長帯域の光量積分値が、前記連続スペクトル光の前記第２波長帯域の光量積分値と一致しているか否かを検証する検証部を備える請求項１〜８のいずれか１項に記載の内視鏡光源装置
。
　　【請求項１０】
　前記光源制御部は、前記検証部による検証結果を用いて前記複数の光源を制御する請求項９に記載の内視鏡光源装置。
　　【請求項１１】
　互いに異なる色の光を独立して発光する複数の光源を有し、前記複数の光源が発光する光を重ね合わせた第１多色スペクトルを有する第１多色スペクトル光を発する光源部と、
　前記第１多色スペクトル光の第１波長帯域の光量積分値を、白色光源が発光する白色光である連続スペクトル光の前記第１波長帯域の光量積分値と一致させ、かつ、前記第１多色スペクトル光の前記第１波長帯域とは異なる第２波長帯域の光量積分値を、前記連続スペクトル光の前記第２波長帯域の光量積分値と一致させるように前記複数の光源の光量をそれぞれ制御する光源制御部と、
　前記複数の光源が発する光の光量をそれぞれ検出する光量検出部と、
　を備え、
　前記光源制御部は、前記光量検出部による検出結果を用いて、前記複数の光源のうち、前記第１多色スペクトル光を形成する光量の指定値に対して、光量の不足が最も大きい最劣化光源の光量に合わせて、残りの光源の光量を設定する内視鏡システム。
　　【請求項１２】
　前記光源部は、前記複数の光源によって、前記第１多色スペクトル光及び前記連続スペクトル光とは分光スペクトルが異なる第２多色スペクトルを有する第２多色スペクトル光を発し、
　前記光源制御部は、前記第２多色スペクトル光の前記第１波長帯域の光量積分値を、前記連続スペクトル光の前記第１波長帯域の光量積分値よりも大きくし、かつ、前記第２多色スペクトル光の前記第２波長帯域の光量積分値を、前記連続スペクトル光の前記第２波長帯域の光量積分値と一致させる請求項１１に記載の内視鏡システム。
　　【請求項１３】
　接続された内視鏡の機種を検出し、検出結果を前記光源制御部に入力する内視鏡機種検出部を備え、
　前記光源制御部は、前記内視鏡機種検出部によって検出された前記内視鏡の機種によって、前記光源部が発する光を、前記第１多色スペクトル光と前記第２多色スペクトル光とで切り替える請求項１２に記載の内視鏡システム。
　　【請求項１４】
　前記光源制御部は、前記内視鏡の機種が、前記連続スペクトル光で使用する機種である場合に、前記光源部が発する光を前記第１多色スペクトル光にし、かつ、前記内視鏡の機種が、前記連続スペクトル光で使用する機種でない場合に、前記光源部が発する光を前記第２多色スペクトル光にする請求項１３に記載の内視鏡システム。
　　【請求項１５】
　互いに異なる色の光を独立して発光する複数の光源を有し、前記複数の光源が発光する光を重ね合わせた第１多色スペクトルを有する第１多色スペクトル光を発する光源部と、前記複数の光源が発する光の光量をそれぞれ検出する光量検出部と、を有する内視鏡光源装置の作動方法において、
　光源制御部が、前記第１多色スペクトル光の第１波長帯域の光量積分値を、白色光源が発光する白色光である連続スペクトル光の前記第１波長帯域の光量積分値と一致させ、かつ、前記第１多色スペクトル光の前記第１波長帯域とは異なる第２波長帯域の光量積分値を、前記連続スペクトル光の前記第２波長帯域の光量積分値と一致させるように前記複数の光源の光量をそれぞれ制御して、前記第１多色スペクトル光を発光させるステップと、　前記光源制御部が、前記光量検出部による検出結果を用いて、前記複数の光源のうち、前記第１多色スペクトル光を形成する光量の指定値に対して、光量の不足が最も大きい最劣化光源の光量に合わせて、残りの光源の光量を設定するステップと、
　を備える内視鏡光源装置の作動方法。」
第４　引用文献・引用発明等
１　引用文献１について
　原査定の拒絶の理由とともに引用された引用文献１には、次の事項が記載されている。（下線は、当審で付した。以下同様。）
「［０００９］
（第１の実施の形態）
　図１は本発明の第１の実施の形態に係る光源装置を示すブロック図である。本実施の形態は、光源装置を内視鏡、ビデオプロセッサ及びモニタを有する内視鏡システムに適用したものである。
［００１０］
　
内視鏡システム１は、内視鏡１０、ビデオプロセッサ２０、モニタ３０及び光源装置４０によって構成され
［００１１］
　また、内視鏡１０はケーブル１７及びコネクタ１８によってビデオプロセッサ２０に着脱自在に接続されるようになっている。このように、光源装置４０及びビデオプロセッサ２０には、異なる種別の内視鏡を装着することができるようになっている。
［００１２］
　挿入部１１の先端には、管腔内等の被写体の映像を撮像するための撮像素子１３及び光源装置４０からの光を被写体に照射するためのレンズ１４が配設されている。レンズ１４によって、光源装置４０からライトガイド１５を介して伝送された照明光が被写体に照射される。撮像素子１３は、ＣＣＤやＣＭＯＳセンサ等によって構成されており、被写体からの戻り光が撮像面に入射され、入射した被写体光学像を光電変換し、蓄積した電荷に基づく撮像出力を順次出力する。
［００１３］
　撮像素子１３は、ビデオプロセッサ２０から同期信号を含む駆動信号が供給されて動作し、撮像出力を信号線１６を介してビデオプロセッサ２０に供給する。
［００１４］
　なお、撮像素子１３は、所定の分光感度特性を有する。内視鏡は主に撮像素子の分光感度特性の影響によって、撮像画像の特性が内視鏡毎に変化する。内視鏡１０には、このような内視鏡毎の分光感度特性の情報を含むスコープ情報を記憶した記憶部１９が設けられている。内視鏡１０をコネクタ１２によって光源装置４０に接続することで、光源装置４０においてスコープ情報を取得することができるようになっている。
［００１５］
　ビデオプロセッサ２０は、撮像出力に対して所定の信号処理を施してモニタ３０に表示可能な映像信号を生成する。ビデオプロセッサ２０からの映像信号は、ケーブル２１を介してモニタ３０に供給される。こうして、モニタ３０の表示画面上において、撮像出力に基づく内視鏡画像が表示可能である。
［００１６］
　また、ビデオプロセッサ２０は、撮像画像の明るさが目標の明るさとなるように、光源装置４０を制御することができるようになっている。ビデオプロセッサ２０は、撮像画像から得られる明るさと目標明るさとの比率の情報を明るさ制御情報として光源装置４０に出力するようになっている。明るさ制御情報はケーブル２２を介して光源装置４０の制御部４１に供給される。
［００１７］
　
光源装置４０は、赤色光を発生するＬＥＤ（Ｒ−ＬＥＤ）４２、緑色光を発生するＬＥＤ（Ｇ−ＬＥＤ）４３、青色光を発生するＬＥＤ（Ｂ−ＬＥＤ）４４及び紫色光を発生するＬＥＤ（Ｖ−ＬＥＤ）４５を有し
［００１８］
　各ＬＥＤ４２〜４５の出射光の光軸上にはそれぞれレンズ４２ａ〜４５ａが配置されている。各レンズ４２ａ〜４５ａは、それぞれＬＥＤ４２〜４５の出射光を略平行光に変換して出射する。Ｒ−ＬＥＤ４２からの光を出射するレンズ４２ａの光軸上には、光路部を構成するダイクロイックフィルタ４７〜４９が配置されている。ダイクロイックフィルタ４７には、レンズ４３ａを介してＧ−ＬＥＤ４３からの光も入射される。また、ダイクロイックフィルタ４８には、レンズ４４ａを介してＢ−ＬＥＤ４４からの光も入射され、ダイクロイックフィルタ４９には、レンズ４５ａを介してＶ−ＬＥＤ４５からの光も入射される。
［００１９］
　ダイクロイックフィルタ４７は、Ｇ−ＬＥＤ４３からの光を反射して、Ｒ−ＬＥＤ４２からの光を透過させる。ダイクロイックフィルタ４８は、Ｂ−ＬＥＤ４４からの光を反射して、ダイクロイックフィルタ４７の透過光を透過させる。ダイクロイックフィルタ４９は、Ｖ−ＬＥＤ４５からの光を反射して、ダイクロイックフィルタ４８の透過光を透過させる。
［００２０］
　こうして、
ＬＥＤ４２〜４５の光がダイクロイックフィルタ４７〜４９によって合成され
［００２１］
　
各ＬＥＤ４２〜４５は、ＬＥＤ駆動部４６によって駆動されて点灯する。
各ＬＥＤ４２〜４５を調光制御する。
［００２２］
　制御部４１は、各ＬＥＤ４２〜４５の発光量が、所定のカラーバランスを維持できるように、調光情報を発生する。各ＬＥＤ４２〜４５のカラーバランスは、内視鏡１０の分光感度特性によって決定する必要がある。光源装置４０に設けられた読み取り部５１は、内視鏡１０がコネクタ１２によって光源装置４０に接続されると、記憶部１９に記録されたスコープ情報を読み出して制御部４１に出力するようになっている。
制御部４１は、スコープ情報に基づいて、各ＬＥＤ４２〜４５の発光量の比（光量比）を決定し、この光量比を維持するように各ＬＥＤ４２〜４５の発光量を制御する
［００２３］
　なお、記憶部１９には、撮像素子の分光感度特性の情報を保持するものとして説明したが、記憶部１９に、分光感度特性に基づくＬＥＤ４２〜４５の出射光量比率の情報を記憶させるようにしてもよい。
［００２４］
　なお、最適なカラーバランスを得るためには、制御部４１に、内視鏡１０の分光感度特性の情報を入力すればよく、必ずしも記憶部１９や読み取り部５１を設ける必要は無い。光源装置４０には、操作パネル５２が設けられており、操作パネル５２はユーザ操作に基づく信号を制御部４１に出力することができる。この操作パネル５２を用いることで、内視鏡１０の分光感度特性に関する情報を入力することも可能である。また、操作パネル５２には、図示しない表示部が設けられており、現在の設定値等を表示することができるようになっている。
［００２５］
　制御部４１は、ビデオプロセッサ２０からの明るさ制御情報に基づいて、最適なカラーバランスが得られる光量比を維持しながら、各ＬＥＤ４２〜４５の光量を制御する。例えば、制御部４１は、明るさ制御情報に応じて設定すべきＧ−ＬＥＤ４３の光量値に対応する調光情報を求め、他のＬＥＤ４２，４４，４５については、スコープ情報に基づく光量比となるように調光情報を求める。メモリ部５３には、明るさ制御情報に応じて設定すべきＧ−ＬＥＤ４３の光量値に対応する調光情報を記述したテーブルが記憶されており、制御部４１は、明るさ制御情報に基づいてメモリ部５３に記憶された調光情報を読み出すことで、Ｇ−ＬＥＤ４３を制御するための調光情報を取得することができる。
［００２６］
　図２はメモリ部５３に格納されている情報の一例を説明するためのグラフである。図２（ａ）は横軸に明るさ制御情報に対応するＬＥＤ制御値をとり縦軸にデューティ比をとってＧ−ＬＥＤ４３に対するＰＷＭ制御を示し、図２（ｂ）は横軸に明るさ制御情報に対応するＬＥＤ制御値をとり縦軸に電流値をとってＧ−ＬＥＤ４３に対する電流制御を示している。
［００２７］
　図２に示すように、制御部４１は、Ｇ−ＬＥＤ４３の最低光量に対応するＬＥＤ制御値を“１”とし、最大光量に対応するＬＥＤ制御値を“６５５３５”として、Ｇ−ＬＥＤ４３の光量を６５５３６段階に制御可能である。制御部４１は、Ｇ−ＬＥＤ４３用のＰＷＭパルスのデューティ比については、０．１％（パルス幅１６．６８μ秒）から１００％（パルス幅１６．６８ｍ秒）の間で制御可能であり、ＰＷＭパルスの電流値について最小の１Ａから最大の２０Ａの間で制御可能である。
［００２８］
　図２（ａ），（ｂ）に示すように、制御部４１は、Ｇ−ＬＥＤ４３について、デューティ比が１００％に到達するまでは、電流値を最低の１Ａに設定したまま、デューティ比を変化させることによって最も暗いＬＥＤ制御値“１”からＬＥＤ制御値“ＴＨ”までの調光制御を行う。また、制御部４１は、ＰＷＭパルスのデューティ比が１００％に到達すると、ＬＥＤ制御値“ＴＨ”から最も明るいＬＥＤ制御値“６５５３５”までの調光制御は、デューティ比１００％の状態で電流値を最小の１Ａから最大の２０Ａまで変化させることにより行う。
［００２９］
　制御部４１は、ビデオプロセッサ２０から明るさ制御情報が入力されると、入力された明るさ制御情報に基づくＬＥＤ制御値に対応するデューティ比及び電流値を図２に対応するテーブルから読み出して、読み出したデューティ比及び電流値を指定するための調光情報を、Ｇ−ＬＥＤ４３を制御するための調光情報として生成する。
［００３０］
　本実施の形態においては、制御部４１は、Ｇ−ＬＥＤ４３に設定する電流値と、スコープ情報に基づく比率とによって、他のＬＥＤ４２，４４，４５に設定する電流値を求める。また、制御部４１は、ＬＥＤ４２，４４，４５にはＬＥＤ４３と同じデューティ比を設定する。こうして、制御部は、他のＬＥＤ４２，４４，４５に設定する調光情報を求める。制御部４１は、ＬＥＤ４２〜４５を制御するために求めた調光情報をＬＥＤ駆動部４６に出力する。
［００３１］
　このように、本実施の形態においては、制御部４１は、最も暗い光量からデューティ比１００％となる所定の光量までは、電流量を一定にした状態で、ＰＷＭパルスのデューティ比を変化させるＰＷＭ制御によって明るさを調整し、デューティ比が１００％となる所定の光量から最大光量までは、デューティ比を１００％に維持した状態で、ＬＥＤ電流を変化させる電流制御によって明るさを調整する。
［００３２］
　また、本実施の形態においては、全てのＬＥＤ４２〜４５について、ＰＷＭパルスのパルス期間、即ち、デューティ比及びＬＥＤ電流を供給する期間を同一にする。これにより、全てのＬＥＤ４２〜４５が同時に点灯することになり、動きの速い被写体の撮像時においても、カラーバランスの変化によって画質が低下することを防止することができる。また、各ＬＥＤ４２〜４５相互間でＰＷＭ駆動のパルス幅が同一であるので、各ＬＥＤ４２〜４５間の光量比は電流量の比のみによって制御することができ、調光制御が容易である。
［００３３］
　なお、制御部４１は、ＬＥＤ４２〜４５のうちの１つのＬＥＤ４３を基準にして、明るさ制御情報に基づいてＬＥＤ４３の調光制御のための電流値を求め、他のＬＥＤ４２，４４，４５については、基準となるＬＥＤ４３の電流値とスコープ情報に基づく比によって電流値を求める例を説明したが、基準とするＬＥＤをＬＥＤ４３以外の他のＬＥＤに設定してもよい。また、基準とするＬＥＤを用いることなく、図２と同様の情報をスコープ情報に基づく比率で全てのＬＥＤについて求めておき、明るさ制御情報に基づいて各ＬＥＤの制御値を直接読み出すようにしてもよい。
［００３４］
　なお、本明細書中において記載したパルスの電流値、デューティ比及びパルス長等の数値は一例であり、適宜変更可能である。
［００３５］
　次に、このように構成された実施の形態の動作について図３及び図４を参照して説明する。図３は第１の実施の形態の調光制御を説明するためのフローチャートである。また、図４は各ＬＥＤ４２〜４５に供給される駆動パルスを説明するための説明図である。
［００３６］
　内視鏡１０がコネクタ１２によって光源装置４０に接続されると、読み取り部５１は、内視鏡１０の記憶部１９に記憶されているスコープ情報を読み出して制御部４１に出力する。これにより、制御部４１はスコープ情報を取得する（ステップＳ１）。制御部４１は、ステップＳ２において、ビデオプロセッサ２０からの明るさ制御情報を取得する。制御部４１は、明るさ制御情報に基づいてメモリ部５３にアクセスし、基準となるＬＥＤであるＧ−ＬＥＤ４３を制御するための制御値（電流値及びデューティ比）を取得する（ステップＳ３）。制御部４１は、ＬＥＤ４３の電流値を基準として、スコープ情報に基づく光量比で、他のＬＥＤ４２，４４，４５の電流値を算出する（ステップＳ４）。
［００３７］
　制御部４１は、各ＬＥＤ４２〜４５について求めた電流値及びデューティ比を指定するための調光情報を生成して（ステップＳ５）、ＬＥＤ駆動部４６に出力する（ステップＳ６）。ＬＥＤ駆動部４６は、調光情報に基づくデューティ比及び電流値のＰＷＭパルスを発生して、各ＬＥＤ４２〜４５に供給する。これにより、ＬＥＤ４２〜４５は調光情報に基づく光量の光を発生する。ＬＥＤ４２〜４５の出射光は、ダイクロイックフィルタ４７〜４９によって合成され、照明光としてレンズ５０を介してライトガイド１５に入射する。ライトガイド１５を伝送された照明光は、レンズ１４から被写体に照射される。
［００３８］
　撮像素子１３は、被写体からの反射光を受光して光電変換し、撮像画像を得る。この撮像画像は信号線１６を介してビデオプロセッサ２０に供給される。ビデオプロセッサ２０は、撮像画像に所定の信号処理を施して映像信号を生成し、ケーブル２１を介してモニタ３０に供給する。こうして、モニタ３０の表示画面上に内視鏡画像が表示される。
［００３９］
　また、ビデオプロセッサ２０は、撮像画像の明るさと目標明るさとの比較によって明るさ制御情報を発生する。例えば、ビデオプロセッサ２０は、１フィールド毎に明るさ制御情報を発生して、光源装置４０の制御部４１に出力する。
［００４０］
　こうして、制御部４１は、例えば１フィールド毎に明るさ制御情報に基づいて調光情報を発生し、ＬＥＤ４２〜４５からの出射光の合成光による照明光の光量が目標明るさに到達するように制御を行う。
［００４１］
　図４は横軸に時間をとり各フィールド毎に各ＬＥＤ４２〜４５に供給されるＰＷＭパルスの一例を示している。図４のＲｅｄ、Ｇｒｅｅｎ、Ｂｌｕｅ、Ｖｉｏｌｅｔは、それぞれＬＥＤ４２〜４５に供給されるＰＷＭパルスを示している。図４の斜線部は、ＬＥＤ電流が供給される期間を示しており、斜線部の高さは電流量を示している。図４に示すように、全てのＬＥＤ４２〜４５は相互に共通の期間に電流が供給されて点灯する。また、斜線部の高さは、スコープ情報に基づく光量比に対応している。
［００４２］
　暗い状態からデューティ比１００％に到達するまでの調光制御は、デューティ比の制御によって行われる。デューティ比が１００％に到達すると、更に明るくする場合には電流制御によって調光が行われる。
［００４３］
　このように本実施の形態においては、複数（図１では４つ）のＬＥＤからの出射光を合成して照明光を得ており、内視鏡の分光感度特性に対応した照明光を簡単に得ることができると共に、照明光として十分な明るさを得ることができる。また、各ＬＥＤをＰＷＭ制御すると共に電流制御しており、比較的広い調光レンジを確保必要がある場合でも、電流量の上限を比較的低く設定することができ、長寿命化を可能にすることができる。また、各ＬＥＤを共通のデューティ比のＰＷＭパルスによって点灯制御しており、均質な照明を得ることができる。また、各ＬＥＤ間の光量比は電流量によって制御しており、比較的簡単に各ＬＥＤ間の光量比を一定にしながら明るさ制御が可能である。各ＬＥＤの光量比は、内視鏡の分光感度特性に基づいて設定しており、接続された内視鏡に最適なカラーバランスを維持しながら所望の明るさの照明光を得ることができる。
［００４４］
（第２の実施の形態）
　図５は本発明の第２の実施の形態を示すブロック図である。
図５において図１と同一の構成要素には同一符号を付して説明を省略する。
［００４５］
　図６は横軸にＬＥＤ温度をとり縦軸に光量をとって、所定の一定電流値でＬＥＤを駆動した場合の光量の変化を示すグラフである。図６ではＲ，Ｇ，Ｂ，Ｖによって、ＬＥＤ４２〜４５の特性を示している。図６に示すように、各ＬＥＤを所定の電流値で駆動しても、各ＬＥＤの発光量はＬＥＤ温度の変化に伴って変化する。しかも、ＬＥＤの種類毎に変化特性は異なる。
［００４６］
　そこで、温度を計測して図６の特性に応じて各ＬＥＤの駆動電流を制御する方法も考えられるが、光源装置内ではＬＥＤは比較的近接配置されており、各ＬＥＤ単体による温度変化を計測することは困難である。そこで、本実施の形態においては、各ＬＥＤの光量を求めることで、電流値を制御するようになっている。
［００４７］
　図５の内視鏡システム６０は、
光センサ４２ｂ〜４５ｂを備えた光源装置６１
光センサ４２ｂ〜４５ｂは、それぞれ各ＬＥＤ４２〜４５の出射光を検出可能な位置に配置されて、各ＬＥＤ４２〜４５の発光量を検知して検知結果を制御部４１に出力する
［００４８］
　制御部４１は、第１の実施の形態と同様に、明るさ制御情報に基づいてメモリ部５３の情報を読み出し、Ｇ−ＬＥＤ４３の電流値及びデューティ比を求める。本実施の形態においては、制御部４１は、内視鏡１０のスコープ情報に基づく光量比を、光センサ４２ｂ〜４５ｂの検知結果に基づいて補正することで、温度特性に変わらず最適な光量比を得るようになっている。
［００４９］
　次にこのように構成された実施の形態の動作について図７を参照して説明する。図７は第２の実施の形態における調光制御を説明するためのフローチャートである。図７において図３と同一の手順には同一符号を付して説明を省略する。
［００５０］
　本実施の形態においても、基準となるＬＥＤの電流値及びデューティ比を明るさ制御情報に基づいて制御する点は第１の実施の形態と同様である。本実施の形態においては、上述のような温度変化等の環境条件の変化によって各ＬＥＤからの出射光量が変動してカラーバランスが崩れてしまうことを防止するために、各ＬＥＤ４２〜４５から実際に出射される光量を、記憶部１９にスコープ情報として記憶された分光感度特性情報に基づいて設定される出射光量比に一致させるように、光センサ４２ｂ〜４５ｂにより各ＬＥＤ４２〜４５からの実際の出射光量をモニタリングし、その結果に応じて各ＬＥＤに供給する駆動信号の電流値を補正する。
［００５１］
　光センサ４２ｂ〜４５ｂは、それぞれＬＥＤ４２〜４５の光量を検知して検知結果を制御部４１に出力している。図７のステップＳ１１においては、制御部４１は、光センサ４２ｂ〜４５ｂの検知結果を取得する。
制御部４１は、基準となるＬＥＤについて、明るさ制御情報に基づいて制御値（電流値及びデューティ比）を求め
［００５２］
　次に、
制御部４１は、
スコープ情報に基づく基準ＬＥＤと他の各ＬＥＤとの光量比と、光センサ４２ｂ〜４５ｂによって実際に求めた基準ＬＥＤと他の各ＬＥＤとの光量比と、前回の制御値と、に基づいて他のＬＥＤに供給する電流値の制御値を他の各ＬＥＤ毎に求め
［００５３］
　すなわち、他のＬＥＤ４２，４４，４５の駆動パルスのデューティ比をステップ３において設定されたＧ−ＬＥＤ４３のデューティ比に一致させ、電流値を、スコープ情報に基づく光量比と、光センサ４２ｂ〜４５ｂによって実際に求めた光量比とが一致するように、制御周期で増減させる。
［００５４］
　例えば、スコープ情報に基づく光量比に応じたＲ−ＬＥＤ４２の光量に対して、実際のＲ−ＬＥＤ４２の光量が小さかった場合には、Ｇ−ＬＥＤ４３のＬＥＤ電流に対するＲ−ＬＥＤ４３のＬＥＤ電流の比率が前回の制御時よりも大きくなるように、Ｒ−ＬＥＤ４３の電流値が設定される。制御部４１がスコープ情報及び前回の制御値を用いて、Ｒ−ＬＥＤ４２の電流値を求めることで、Ｒ−ＬＥＤ４２の光量比はスコープ情報に基づく光量比に一致することになる。
［００５５］
　これにより、各ＬＥＤ４２〜４５のＬＥＤ電流値は、実際の光量比が、スコープ情報に基づく光量比に一致するように制御されることになる。
［００５６］
　なお、例えば、制御部４１は、調光情報の出力毎に他のＬＥＤ４２，４４，４５の電流値の補正量を算出してもよい。
［００５７］
　
制御部４１は求めた電流値及びデューティ比に応じた調光情報を生成して、ＬＥＤ駆動部４６に出力する。ＬＥＤ４６は、入力された調光情報に基づいて各ＬＥＤ４２〜４５を点灯制御する。
各ＬＥＤ４２〜４５の実際の光量はスコープ情報に基づく光量比に一致する
［００５８］
　このように本実施の形態においては、第１の実施の形態と同様の効果が得られる。また、明るさ制御情報に基づいて基準となるＬＥＤの明るさを制御することで照明光の明るさを制御すると共に、実際の光量を計測し、実際の光量比がスコープ情報に基づく光量比に一致するように各ＬＥＤの電流値を制御しており、温度特性に拘わらず、接続された内視鏡に最適なカラーバランスを維持しながら所望の明るさの照明光を得ることができる。」
引用文献１の［図５］には、次の図面が記載されている。
　これらの記載を総合すると、上記引用文献１には、「第２の実施形態」として、次の発明（以下、「引用発明」という。）が記載されているといえる。（なお、参考情報として、根拠となる段落番号を括弧書きで記載した。）
「（Ａ）内視鏡１０、ビデオプロセッサ２０、モニタ３０及び光センサ４２ｂ〜４５ｂを備えた光源装置６１によって構成された内視鏡システム６０であって、（［００４４］、［００４７］、［００１０］、［図５］）
（Ｂ）光源装置６１は、赤色光を発生するＬＥＤ（Ｒ−ＬＥＤ）４２、緑色光を発生するＬＥＤ（Ｇ−ＬＥＤ）４３、青色光を発生するＬＥＤ（Ｂ−ＬＥＤ）４４及び紫色光を発生するＬＥＤ（Ｖ−ＬＥＤ）４５を有し、（［００４４］、［００４７］、［００１７］、［図５］）
（Ｃ）ＬＥＤ４２〜４５の光がダイクロイックフィルタ４７〜４９によって合成され、（［００４４］、［００４７］、［００２０］、［図５］）
（Ｄ）光センサ４２ｂ〜４５ｂは、それぞれ各ＬＥＤ４２〜４５の出射光を検出可能な位置に配置されて、各ＬＥＤ４２〜４５の発光量を検知して検知結果を制御部４１に出力し、（［００４７］、［図５］）
（Ｅ）制御部４１は、基準となるＬＥＤについて、明るさ制御情報に基づいて制御値（電流値及びデューティ比）を求め、スコープ情報に基づく基準ＬＥＤと他の各ＬＥＤとの光量比と、光センサ４２ｂ〜４５ｂによって実際に求めた基準ＬＥＤと他の各ＬＥＤとの光量比と、前回の制御値と、に基づいて他のＬＥＤに供給する電流値の制御値を他の各ＬＥＤ毎に求め、（［００５１］、［００５２］）
（Ｆ）制御部４１は求めた電流値及びデューティ比に応じた調光情報を生成して、ＬＥＤ駆動部４６に出力し、ＬＥＤ４６は、入力された調光情報に基づいて各ＬＥＤ４２〜４５を点灯制御し、各ＬＥＤ４２〜４５の実際の光量はスコープ情報に基づく光量比に一致する、（［００５７］）
内視鏡システム。」
 ２　引用文献２について
　原査定の拒絶の理由とともに引用された引用文献２には、内視鏡１１と、この内視鏡１１が接続される制御装置１３とを有し、制御装置１３には、画像情報等を表示する表示部１５と、入力操作を受け付ける入力部１７が接続されており、内視鏡１１は、内視鏡挿入部１９の先端から照明光を出射する照明光学系と、被観察領域を撮像する撮像素子を含む撮像光学系とを有する電子内視鏡であって（同文献の【００１１】）、 制御装置１３は、内視鏡先端部３５の照射口３７Ａ，３７Ｂに供給する照明光を発生する光源装置４１を備えており、（同文献の【００１５】）、光源装置４１は、中心波長４４５ｎｍの青色レーザ光源（第１の光源）５１と、中心波長４０５ｎｍの紫色レーザ光源（第２の光源）５３とを発光源として備えており、青色レーザ光と紫光レーザ光の光量比の設定は、キー情報となる術者名と、術者の好みの光量比とを関係付けた光量比情報を、記憶部８３等に光量比テーブルとして予め登録しておき、入力部１７から術者名に対応する情報が入力されると、制御部６７は、記憶部８３の光量比テーブルを参照して所望の光量比を自動的に設定することにより、内視鏡の術者の嗜好に応じた光量比に設定できる（同文献の【００５９】−【００６０】）、電子内視鏡が開示されている。
３　引用文献３について
　原査定の拒絶の理由とともに引用された引用文献３には、電子内視鏡２とプロセッサ３と光源装置４で構成される電子内視鏡装置１であって（同文献の【０００８】）、光源装置４には、照明光を発生するランプ１１が収容されており、ランプ１１は、放電管であるメタルハライドランプにより発光し（同文献の【０００９】）、光源装置４には、ランプ１１の平行光をライトガイド８に集光させるために、レンズ１２が設けられており、このレンズ１２とランプ１１との間に、赤外線遮断フィルタ１３と、液晶パネル１４とが設けられ（同文献の【００１０】）、液晶パネル１４には、液晶の画素毎にマイクロカラーフィルタがＲ，Ｇ，Ｂのような配列で設けられており（同文献の【００１２】）、光源装置４の操作パネル１７には、キセノン（Ｘｅ）、ハロゲン（Ｈａ）、バリアブル（Ｖｒ）の３つのモード設定が設けられ、設定に応じて液晶パネル１４の制御がされ、例えばキセノンが選択されれば、キセノン光と同等の色バランスになる（同文献の【００１６】）、電子内視鏡装置が開示されている。すなわち、引用文献３には、「照明光を発生するメタルハライドランプ１１、レンズ１２、赤外線遮断フィルタ１３及び液晶パネル１４が設けられ、液晶パネル１４には液晶の画素毎にマイクロカラーフィルタがＲ，Ｇ，Ｂのような配列で設けられており、設定に応じて液晶パネル１４の制御がされることにより、キセノンが選択されればキセノン光と同等の色バランスになる、電子内視鏡の光源装置」が開示されているといえる。
４　引用文献４について
　原査定の拒絶の理由とともに引用された引用文献４には、被検体内に挿入される内視鏡に対して光を供給する内視鏡用光源装置において（同文献の【００１０】）、第１特殊光観察モードに設定されている場合に、第１青色光、緑色蛍光、赤色光が発光され、第１青色光のピーク強度は、他の緑色蛍光、赤色光のピーク強度よりも大きくなるように発光されるとともに、体内の血管と粘膜のコントラスト比が「１．６」以上となる第１光量比で発光される（同文献の【００４４】、【図６Ｂ】を参照）、内視鏡用光源装置が開示されている。
５　引用文献５について　
　原査定の拒絶の理由とともに引用された引用文献５には、内視鏡装置において、内視鏡１１が制御装置１３にコネクタ部２５Ｂを介して接続された際に、制御部６７が内視鏡１１の本体側記憶部１３１から個体識別情報を読み取ることで、制御部６７は接続された内視鏡１１を認識し（同文献の【００５９】）、制御部６７は、接続された内視鏡１１の個体識別情報に応じた照明光の色調に設定することにより（同文献の【００６０】）、内視鏡の機種に応じて照明光の色調を変更する（同文献の【００５７】）、内視鏡装置（同文献の【０００９】）、が開示されている。
６　引用文献６について
　原査定の拒絶の理由とともに引用された引用文献６には、複数のレーザ光源装置と、該レーザ光源装置から射出された光を画像信号に応じて変調する光変調装置と、該光変調装置により形成された画像を投射する投射装置と、を備えた画像表示装置であって、前記レーザ光源装置のいずれかの劣化が検出された際に、劣化が検出されていない前記レーザ光源装置は、劣化が検出されたレーザ光源装置のうち、最も大きな劣化が検出されたレーザ光源装置の光量に対応するように、投入電流又は投入電圧が調整されることにより、ホワイトバランスを維持することができること（同文献の【００１９】−【００２０】）、が開示されている。
７　引用文献７について
　原査定の拒絶の理由とともに引用された引用文献７には、内視鏡システムの光源装置３であって（同文献の［００１３］）、白色ＬＥＤ３１と紫ＬＥＤ３７との劣化率の差が５％以上になった場合、色バランスを一定に保つための劣化補正処理を実行し、光源装置３の制御部２４は、この色バランスを一定に保つための劣化補正処理において、白色ＬＥＤ３１の劣化率を紫ＬＥＤ３７の劣化率に合わせるように補正する（同文献の［００６６］）、光源装置が開示されている。
第５　本願発明１について
１　対比
　本願発明１と引用発明とを対比すると、次のとおりである。
（１）引用発明の「赤色光を発生するＬＥＤ（Ｒ−ＬＥＤ）４２、緑色光を発生するＬＥＤ（Ｇ−ＬＥＤ）４３、青色光を発生するＬＥＤ（Ｂ−ＬＥＤ）４４及び紫色光を発生するＬＥＤ（Ｖ−ＬＥＤ）４５」は本願発明１の「互いに異なる色の光を独立して発光する複数の光源」に相当する。また、引用発明の「ダイクロイックフィルタ４７〜４９によって合成され」た「ＬＥＤ４２〜４５の光」は本願発明１の「前記複数の光源が発光する光を重ね合わせた第１多色スペクトルを有する第１多色スペクトル光」に相当する。よって、引用発明の「赤色光を発生するＬＥＤ（Ｒ−ＬＥＤ）４２、緑色光を発生するＬＥＤ（Ｇ−ＬＥＤ）４３、青色光を発生するＬＥＤ（Ｂ−ＬＥＤ）４４及び紫色光を発生するＬＥＤ（Ｖ−ＬＥＤ）４５を有し、ＬＥＤ４２〜４５の光がダイクロイックフィルタ４７〜４９によって合成され」た「光源装置」は、本願発明１の「互いに異なる色の光を独立して発光する複数の光源を有し、前記複数の光源が発光する光を重ね合わせた第１多色スペクトルを有する第１多色スペクトル光を発する光源部」に相当する。
（２）引用発明の「制御部４１」は本願発明１の「光源制御部」に相当し、
引用発明の「基準となるＬＥＤについて、明るさ制御情報に基づいて制御値（電流値及びデューティ比）を求め、スコープ情報に基づく基準ＬＥＤと他の各ＬＥＤとの光量比と、光センサ４２ｂ〜４５ｂによって実際に求めた基準ＬＥＤと他の各ＬＥＤとの光量比と、前回の制御値と、に基づいて他のＬＥＤに供給する電流値の制御値を他の各ＬＥＤ毎に求め」ることは、本願発明１の「前記複数の光源の光量をそれぞれ制御する」ことに相当する。したがって、引用発明の「基準となるＬＥＤについて、明るさ制御情報に基づいて制御値（電流値及びデューティ比）を求め、スコープ情報に基づく基準ＬＥＤと他の各ＬＥＤとの光量比と、光センサ４２ｂ〜４５ｂによって実際に求めた基準ＬＥＤと他の各ＬＥＤとの光量比と、前回の制御値と、に基づいて他のＬＥＤに供給する電流値の制御値を他の各ＬＥＤ毎に求め 」る「制御部４１」と、本願発明１の「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように前記複数の光源の光量をそれぞれ制御する光源制御部」とは、「前記複数の光源の光量をそれぞれ制御する光源制御部」である点で共通する。
（３）引用発明の「各ＬＥＤ４２〜４５の発光量を検知して検知結果を制御部４１に出力」する「光センサ４２ｂ〜４５ｂ」は本願発明１の「前記複数の光源が発する光の光量をそれぞれ検出する光量検出部」に相当する。
（４）引用発明の「光センサ４２ｂ〜４５ｂによって実際に求めた基準ＬＥＤと他の各ＬＥＤとの光量比」は、本願発明１の「前記光量検出部による検出結果」に相当する。また、引用発明の「他のＬＥＤに供給する電流値の制御値を他の各ＬＥＤ毎に求め、求めた電流値及びデューティー比に応じた調光情報を生成」することは、本願発明１の「残りの光源の光量を設定する」ことに相当する。したがって、引用発明の「基準となるＬＥＤについて、明るさ制御情報に基づいて制御値（電流値及びデューティ比）を求め、スコープ情報に基づく基準ＬＥＤと他の各ＬＥＤとの光量比と、光センサ４２ｂ〜４５ｂによって実際に求めた基準ＬＥＤと他の各ＬＥＤとの光量比と、前回の制御値と、に基づいて他のＬＥＤに供給する電流値の制御値を他の各ＬＥＤ毎に求め」る「制御部」と本願発明１の「前記光量検出部による検出結果を用いて、前記複数の光源のうち、前記第１多色スペクトル光を形成する光量の指定値に対して、光量の不足が最も大きい最劣化光源の光量に合わせて、残りの光源の光量を設定する」「光源制御部」とは、「前記光量検出部による検出結果を用いて」「前記複数の光源のうち、基準となる光源の光量に合わせて、残りの光源の光量を設定する」「光源制御部」である点で共通する。
（５）すると、本願発明１と引用発明とは、次の点で一致する。
「　互いに異なる色の光を独立して発光する複数の光源を有し、前記複数の光源が発光する光を重ね合わせた第１多色スペクトルを有する第１多色スペクトル光を発する光源部と、
　前記複数の光源の光量をそれぞれ制御する光源制御部と、
　前記複数の光源が発する光の光量をそれぞれ検出する光量検出部と、
　を備え、
　前記光源制御部は、前記光量検出部による検出結果を用いて、前記複数の光源のうち、基準となる光源の光量に合わせて、残りの光源の光量を設定する、
内視鏡光源装置。」
　また、本願発明１と引用発明とは、以下の２点で相違する。
（相違点１）
　「光源制御部」が「複数の光源の光量をそれぞれ制御する」方法が、本願発明１では、「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように」制御されるのに対して、引用発明では、「スコープ情報に基づいて」制御される点。
（相違点２）
　「残りの光源の光量を設定する」ための「基準となる光源」が、本願発明１は「前記第１多色スペクトル光を形成する光量の指定値に対して、光量の不足が最も大きい最劣化光源」であるのに対して、引用発明では、基準となる光源の特定はされていない点。
２　判断
　相違点１について検討する。
　引用文献３には、電子内視鏡の光源装置において、「照明光を発生するメタルハライドランプ１１、レンズ１２、赤外線遮断フィルタ１３及び液晶パネル１４が設けられ、液晶パネル１４には液晶の画素毎にマイクロカラーフィルタがＲ，Ｇ，Ｂのような配列で設けられており、設定に応じて液晶パネル１４の制御がされることにより、キセノンが選択されればキセノン光と同等の色バランスになる」ことが開示されているが、同文献には「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光源の光量をそれぞれ制御する」ことは開示されていない。
　また、「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光源の光量をそれぞれ制御する光源制御部」は、引用文献２、４−７のいずれにも記載されていない。したがって、相違点１に係る技術事項は、引用文献２−７に開示された技術事項から当業者が容易に想到し得たものではない。
　よって、相違点２について検討するまでもなく、本願発明１は、当業者であっても、引用発明及び引用文献２−７に開示された技術事項に基づいて容易に想到し得た発明ではない。　
第６　本願発明２−１０について
　本願発明２−１０も、本願発明１の「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光源の光量をそれぞれ制御する」「光源制御部」と同一の構成を備えるものであるから、本願発明１と同じ理由により、当業者であっても、引用発明及び引用文献２−７に開示された技術事項に基づいて容易に想到し得た発明ではない。　
第７　本願発明１１−１４について
　 本願発明１１、１２は、各々、本願発明１、７に対応する内視鏡システムの発明であり、本願発明１の「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光
源の光量をそれぞれ制御する」「光源制御部」に対応する構成を備えるものであるから、本願発明１と同じ理由により、当業者であっても、引用発明及び引用文献２−７に開示された技術事項に基づいて容易に想到し得た発明ではない。　
　本願発明１３−１４も、内視鏡システムの発明であり、本願発明１の「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光源の光量をそれぞれ制御する」「光源制御部」に対応する構成を備えるものであるから、本願発明１と同じ理由により、当業者であっても、引用発明及び引用文献２−７に開示された技術事項に基づいて容易に想到し得た発明ではない。
第８　本願発明１５について
　本願発明１５は、本願発明１に対応する内視鏡光源装置の作動方法の発明であり、本願発明１の「前記第１多色スペクトル光の第１波長帯域の光量積分値を、白色光源が発光する白色光である連続スペクトル光の前記第１波長帯域の光量積分値に一致させ、かつ、前記第１多色スペクトル光の前記第１波長帯域とは異なる第２波長帯域の光量積分値を、前記連続スペクトル光の前記第２波長帯域の光量積分値と一致させるように、前記複数の光源の光量をそれぞれ制御する」「光源制御部」に対応する構成を備えるものであるから、本願発明１と同じ理由により、当業者であっても、引用発明及び引用文献２−７に開示された技術事項に基づいて容易に想到し得た発明ではない。
第９　結び
　以上のとおりであるから、原査定の理由３によっては、本願を拒絶することはできない。
　また、他に本願を拒絶すべき理由を発見しない。
　よって、結論のとおり審決する。